(57)【要約】【課題】処方データの管理を簡素化することができる調剤システムおよび調剤装置を提供することを目的とする。【解決手段】調剤システム１は、同一のグループに属する複数の患者に関する一つの処方データを作成するホストコンピュータ１０と、ホストコンピュータによって作成される処方データを取得し、この処方データに基づいて調剤データを作成するコンピュータ２０と、コンピュータによって作成される調剤データに基づいて調剤する分包機１００とを備える。【選択図】図１
2018200726.tif 000002
【特許請求の範囲】
【請求項１】
同一のグループに属する複数の患者に関する一つの処方データを作成するホストコンピュータと、
前記ホストコンピュータによって作成される処方データを取得し、この処方データに基づいて調剤データを作成するコンピュータと、
前記コンピュータによって作成される調剤データに基づいて調剤する調剤機とを備える、調剤システム。
【請求項２】
同一のグループに属する複数の患者に関する一つの処方データをホストコンピュータから取得し、この処方データに基づいて調剤データを作成するコンピュータと、
前記コンピュータによって作成される調剤データに基づいて調剤する調剤機とを備える、調剤装置。
【発明の詳細な説明】
【技術分野】
【０００１】
この発明は、調剤システムおよび調剤装置に関するものである。
【背景技術】
【０００２】
従来の調剤装置は、たとえば特開昭６１−２３２１１３号公報（特許文献１）に開示されている。
【先行技術文献】
【特許文献】
【０００３】
【特許文献１】特開昭６１−２３２１１３号公報
【発明の概要】
【発明が解決しようとする課題】
【０００４】
特許文献１の調剤装置では、患者毎に処方データが入力される。この場合、処方データの入力に手間がかかってしまう。そこで、ホストコンピュータのデータが利用されている。調剤装置は、ホストコンピュータから処方データを取得する。ホストコンピュータからの処方データは、患者毎であるので、患者数が多い場合、処方データの管理が煩雑になるという問題があった。そこで、この発明は上述のような問題点を解決するためになされたものであり、処方データの管理を簡素化することができる調剤システムおよび調剤装置を提供することを目的とする。
【課題を解決するための手段】
【０００５】
この発明の一つの局面に従った調剤システムは、同一のグループに属する複数の患者に関する一つの処方データを作成するホストコンピュータと、ホストコンピュータによって作成される処方データを取得し、この処方データに基づいて調剤データを作成するコンピュータと、コンピュータによって作成される調剤データに基づいて調剤する調剤機とを備える。
【０００６】
このように構成された調剤システムでは、同一のグループに属する複数の患者に関する処方データを一つの処方データとして扱うので、処方データの管理を簡素化することができる。
【０００７】
この発明の別の局面に従った調剤装置は、同一のグループに属する複数の患者に関する一つの処方データをホストコンピュータから取得し、この処方データに基づいて調剤データを作成するコンピュータと、コンピュータによって作成される調剤データに基づいて調剤する調剤機とを備える。
【０００８】
このように構成された調剤装置では、同一のグループに属する複数の患者に関する処方データを一つの処方データとして扱うので、処方データの管理を簡素化することができる。
【図面の簡単な説明】
【０００９】
【図１】この発明の実施の形態１に従った、薬剤分包装置を有する調剤システムのブロック図である。
【図２】分包機の内部構成を示す斜視図である。
【図３】図２で示す分包機に取付けられるトレイの平面図である。
【図４】ホストコンピュータにおける処方データの準備に関する動作を説明するためのフローチャートである。
【図５】コンピュータにおける処方データの取得に関する動作を説明するためのフローチャートである。
【図６】コンピュータにおける分包データの作成に関する動作を説明するためのフローチャートである。
【図７】分包データを説明するための図である。
【図８】コンピュータにおける手撒き指示データの作成に関する動作を説明するためのフローチャートである。
【図９】手撒き指示書の内容を示す図である。
【図１０】分包結果を説明するための図である。
【発明を実施するための形態】
【００１０】
以下、この発明の実施の形態について、図面を参照して説明する。なお、以下の実施の形態では同一または相当する部分については同一の参照符号を付し、その説明については繰返さない。また、各実施の形態を組合せることも可能である。
【００１１】
図１は、この発明の実施の形態１に従った、薬剤分包装置を有する調剤システムのブロック図である。図１を参照して、調剤システム１は、ホストコンピュータ１０と、調剤装置である薬剤分包装置１１とを備える。
【００１２】
ホストコンピュータ１０は、同一のグループに属する複数の患者に関する処方データを１つのファイルとして作成する。換言すれば、ホストコンピュータ１０は、複数の患者に関する処方データを、グループ単位で一括りにして、一つの処方データとする。このようにして、同一のグループに属する複数の患者に関する処方データを一つの処方データとして扱うので、処方データの管理を簡素化することができる。グループの単位としては、病棟単位であってもよく、あるいは、診療科単位であってもよい。このようなグループの単位は、適宜、設定すればよい。
【００１３】
処方データは、グループに関するグループデータと、患者に関する患者データと、服用時期に関する服用時期データと、薬剤に関する薬剤データとを含む。グループデータには、複数の患者データが関連付けられる。各患者データには、１または複数の服用時期データが関連付けられる。各服用時期データには、１または複数の薬剤データが関連付けられる。
【００１４】
薬剤分包装置１１は、ホストコンピュータ１０に接続されるコンピュータ２０と、コンピュータ２０に接続され、コンピュータ２０から送信される分包データに基づいて薬剤を分包する分包機１００と、コンピュータ２０に接続され、コンピュータ２０から送信される手撒き指示データに基づいて手撒き指示書を印刷するプリンタ３０とを有する。分包機１００は、薬剤分包手段として機能する。プリンタ３０は、手撒き指示データ出力手段として機能する。
【００１５】
コンピュータ２０は、同一のグループに属する複数の患者に関する処方データを１つのファイルとしてホストコンピュータ１０から取得する。したがって各患者に関する処方データを順次取得する場合に比べて、通信処理を簡素化することができる。コンピュータ２０は、ホストコンピュータ１０から取得した処方データに基づいて、調剤データである分包データを作成し、かつ、手撒き指示データを作成する。このようにコンピュータ２０は、分包データ作成手段として機能し、かつ、手撒き指示データ作成手段として機能する。
【００１６】
図２は、分包機の内部構成を示す斜視図である。図２を参照して、調剤機である分包機１００は、カセット薬剤供給部１０１と手撒き薬剤供給部１０２とを有し、カセット薬剤供給部１０１および手撒き薬剤供給部１０２から供給される薬剤を分包するように構成される。カセット薬剤供給部１０１は、薬剤が収容される複数のカセット１１１を有し、各カセット１１１に収容される薬剤を選択的に供給する。カセット１１１は、上下に多段に配置される。手撒き薬剤供給部１０２は、複数の区画室１４１ａが形成されるトレイ１４１を有し、各区画室１４１ａに収容される薬剤を順次供給する。手撒き薬剤供給部１０２は、カセット薬剤供給部１０１から供給することができない薬剤を供給するために用いられる。
【００１７】
カセット薬剤供給部１０１および手撒き薬剤供給部１０２の下方には、分包紙が巻回されて形成される分包紙ロールを支持する分包紙ロール支持部１５６と、分包紙ロール支持部１５６によって支持される分包紙ロールから引き出される分包紙を送りながら熱シールして一連の分包袋を形成するシール部１５４と、シール部１５４よりも上流に配置され、カセット薬剤供給部１０１および手撒き薬剤供給部１０２から供給される薬剤を分包紙に投入するホッパ１４９と、シール部１５４よりも下流に配置され、分包紙を切断する切断部１５２と、切断部１５２よりも下流に配置され、分包紙を搬送する搬送部１５３とが設けられる。
【００１８】
ホッパ１４９よりも上流には、薬剤に関する情報を分包紙に印刷する印刷部１５０が設けられる。印刷部１５０は、シール部１５４によって形成される分包袋に、当該分包袋に収容される薬剤に関する情報が明示されるように、シール部１５４による分包紙の熱シールに先駆けて、薬剤に関する情報を分包紙に印刷する。薬剤に関する情報としては、患者名、服用時期、薬剤名および数量などが挙げられる。
【００１９】
図３は、図２で示す分包機に取付けられるトレイの平面図である。図３を参照して、手撒き薬剤供給部のトレイ１４１には、複数の区画室１４１ａが格子状に形成される。各区画室１４１ａには、区画室番号が割り当てられる。各区画室１４１ａには、手撒きによって薬剤が収容される。
【００２０】
図４は、ホストコンピュータにおける処方データの準備に関する動作を説明するためのフローチャートである。ホストコンピュータ１０には、データベースが設けられる。データベースは、処方情報テーブルと排他情報テーブルとを有する。処方情報テーブルには、処方データと処方データ識別番号とが関連付けて格納される。排他情報テーブルには、処方データ識別番号が格納される。
【００２１】
処方データが入力されると、同一のグループに属する複数の患者に関する処方データを１つのファイルとして作成して、処方データの準備動作を開始する。処方データの準備動作を開始すると、ステップＳ１１において、処方データと処方データ識別番号とを関連付けて、処方情報テーブルに登録する。次に、ステップＳ１２において、前記ステップＳ１１で登録した処方データ識別番号と同一の処方データ識別番号を、排他情報テーブルに登録する。これにより、処方データの準備動作を終了する。
【００２２】
図５は、コンピュータにおける処方データの取得に関する動作を説明するためのフローチャートである。処方データの取得動作を開始すると、ステップＳ２１において、ホストコンピュータ１０のデータベースの排他情報テーブルに、処方データ識別番号が登録されているか否かを判断する。排他情報テーブルに処方データ識別番号が登録されるまで、ステップＳ２１の判断を繰り返し、排他情報テーブルに処方データ識別番号が登録されると、ステップＳ２２に移る。
【００２３】
ステップＳ２２では、排他情報テーブルから処方データ識別番号を取得して、この処方データ識別番号と同一の処方データ識別番号に関連付けられている処方データを、処方情報テーブルから取得する。次に、ステップＳ２３において、前記ステップＳ２２で取得した処方データと、この処方データに関連付けられている処方データ識別番号とを、処方情報テーブルから削除する。次に、ステップＳ２４において、前記ステップＳ２３で削除した処方データ識別番号と同一の処方データ識別番号を、排他情報テーブルから削除する。これにより、処方データの取得動作を終了する。
【００２４】
図６は、コンピュータにおける分包データの作成に関する動作を説明するためのフローチャートである。同一のグループに属する複数の患者に関する処方データを、ホストコンピュータ１０から取得すると、分包データの作成動作を開始する。分包データの作成動作を開始すると、ステップＳ３１において、取得した処方データを解析する。次に、ステップＳ３２において、解析結果に基づいて、分包データを作成する。このとき、同一のグループに属する複数の患者に関する処方データに対して、一つの分包データを作成する。次に、ステップＳ３３において、前記ステップＳ３２で作成した分包データを分包機１００に送信し、その後、分包データの作成動作を終了する。
【００２５】
図７は、分包データを説明するための図である。分包データは、一包分単位のデータの集合体である。一包分単位の各データは、薬剤供給に関するデータと、切断に関するデータと、分包速度に関するデータと、分包サイズに関するデータとを含む。
【００２６】
薬剤供給に関するデータは、カセット薬剤供給部１０１および手撒き薬剤供給部１０２から薬剤を供給するためのデータである。薬剤供給に関するデータは、カセット薬剤供給部１０１および手撒き薬剤供給部１０２のいずれから薬剤を供給するかを指定し、さらに、カセット薬剤供給部１０１から薬剤を供給する場合は、薬剤を供給するカセット１１１を指定するとともに、カセット１１１から供給する薬剤の数量を指定する。
【００２７】
切断に関するデータは、切断部１５２によって分包紙を切断するか否かを示す。切断に関するデータは、最終包では、切断すると設定され、最終包以外では、切断しないと設定される。切断に関するデータは、最終包以外でも、適宜、切断すると設定されてもよい。
【００２８】
分包速度に関するデータは、薬剤を収容するカセット１１１の位置に基づいて設定される。カセット１１１とホッパ１４９との間の距離が長いほど、カセット１１１からホッパ１４９に薬剤が移動するのに要する時間が長くなるため、分包速度を遅くする。たとえば図２のカセット薬剤供給部１０１において、上側に存在するカセット１１１に収容される薬剤を分包する場合は、下側に存在するカセット１１１に収容される薬剤を分包する場合に比べて、分包速度を遅くする。一包毎に分包速度を設定することで、全体として分包速度を向上することができる。
【００２９】
分包サイズに関するデータは、薬剤の数量に基づいて設定される。薬剤の数量が多いほど、分包サイズを大きくする。分包サイズは、分包袋の大きさである。一包毎に分包サイズを設定することで、全体として分包紙の無駄を低減することができる。
【００３０】
分包機１００は、このような分包データに基づいて薬剤を分包する。分包機１００は、一包分単位の各データに基づく動作を１包目から最終包まで順に実行して、一連の分包袋を形成する。分包機１００は、最終包の分包袋を形成した後、この最終包の分包袋を切断部１５２よりも下流まで送り、切断部１５２によって分包紙を切断する。
【００３１】
図８は、コンピュータにおける手撒き指示データの作成に関する動作を説明するためのフローチャートである。同一のグループに属する複数の患者に関する処方データを、ホストコンピュータ１０から取得すると、手撒き指示データの作成動作を開始する。手撒き指示データの作成動作を開始すると、ステップＳ４１において、取得した処方データから、手撒き薬剤供給部１０２から供給すべき手撒き薬剤に関するデータを抽出する。このとき、薬剤マスタデータベースを参照して、処方データに含まれる薬剤に関するデータが、手撒き薬剤に関するデータであるか否かを判断する。
【００３２】
次に、ステップＳ４２において、抽出した手撒き薬剤に関するデータ対して区画室番号を関連付けて、手撒き薬剤を収容すべきトレイ１４１内の区画室１４１ａを指示する手撒き指示データを作成する。次に、ステップＳ４３において、前記ステップＳ４２で作成した手撒き指示データをプリンタ３０に送信し、その後、手撒き指示データの作成動作を終了する。
【００３３】
図９は、手撒き指示書の内容を示す図である。手撒き指示書の内容としては、グループ名、患者名、服用時期、区画室番号、薬剤名および数量を含む。区画室番号には、薬剤名および数量が関連付けられており、これによってトレイ１４１内の各区画室１４１ａに収容すべき手撒き薬剤についての薬剤名および数量が指示される。区画室番号には、患者名および服用時期がさらに関連付けられている。作業者は、このような手撒き指示書に従って、複数患者分の手撒き薬剤を一度に、トレイ１４１の各区画室１４１ａに収容することができる。
【００３４】
図１０は、分包結果を説明するための図である。一のグループに対する一連の分包袋と他のグループに対する一連の分包袋との間には、薬剤を収容しない空包が生じる。しかしながら、同一のグループ内における異なる患者間の分包袋の間には、薬剤を収容しない空包が生じることがなく、したがって分包紙の無駄を低減することができる。
【００３５】
以上のような実施の形態１では、ホストコンピュータ１０にデータベースが設けられ、このデータベースを介して、コンピュータ２０が処方データを取得するけれども、他の実施の形態では、データベースは、コンピュータ２０に設けられてもよい。またデータベースは、ホストコンピュータ１０およびコンピュータ２０のいずれでもない他の機器に設けられてもよい。さらに、このようなデータベースを介することなく、ホストコンピュータ１０からコンピュータ２０に処方データを転送するようにしてもよい。
【００３６】
また実施の形態１では、プリンタ３０が手撒き指示データ出力手段として機能するけれども、手撒き指示データ出力手段は、プリンタ３０に限定されるものではない。コンピュータ２０に設けられる表示部によって、手撒き指示画面を表示するようにしてもよい。また分包機１００に設けられるジャーナルプリンタによって手撒き指示書を印刷するようにしてもよく、あるいは、分包機１００に設けられる表示部によって手撒き指示画面を表示するようにしてもよい。
【００３７】
また実施の形態１では、調剤機が分包機１００によって実現されるけれども、調剤機は、調剤データに基づいて調剤するものであればよく、必ずしも薬剤を分包する必要はない。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３９】
１  調剤システム、１０  ホストコンピュータ、２０  コンピュータ、３０  プリンタ、１００  分包機、１０１  カセット薬剤供給部、１０２  手撒き薬剤供給部、１１１  カセット、１４１  トレイ、１４１ａ  区画室、１４９  ホッパ、１５０  印刷部、１５２  切断部、１５３  搬送部、１５４  シール部、１５６  分包紙ロール支持部。
【図１】
2018200726.tif 000003
【図２】
2018200726.tif 000004
【図３】
2018200726.tif 000005
【図４】
2018200726.tif 000006
【図５】
2018200726.tif 000007
【図６】
2018200726.tif 000008
【図７】
2018200726.tif 000009
【図８】
2018200726.tif 000010
【図９】
2018200726.tif 000011
【図１０】
2018200726.tif 000012
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ホストコンピュータから処方データを取得し、前記処方データに基づいて調剤データを作成するコンピュータと、
前記調剤データに基づいて調剤する調剤機と、を備え、
前記コンピュータは、前記ホストコンピュータによって同一のグループに属する複数の患者分の処方データを一括りにして作成された一つの処方データに基づいて、前記同一のグループに属する複数の患者分の処方データに対して一つの調剤データを作成し、
前記調剤機は、前記一つの調剤データに基づいて調剤する、調剤装置。
【請求項２】
前記一つの処方データは、一つのファイルとして作成されている、請求項１に記載の調剤装置。